(57)【要約】【課題】障害発生時のログ情報が記録された状態を保持し得るエンコーダ装置を提供する。【解決手段】制御・多重部１３において、符号化部１２の映像パケット・音声パケットの出力状態を監視することで、障害発生を検出し、この障害発生検出時点で、不揮発性メモリ１２１へのログ情報の書き込みを停止するように符号化部１２を制御するようにしている。【選択図】      図１
2008236048.tif 000002
【特許請求の範囲】
【請求項１】
符号化部にてベースバンド映像／音声信号を外部からの制御情報に従って符号化し、多重部にて前記符号化部からの符号化データを受信し規格化されたストリームを生成して出力するエンコーダ装置において、
少なくとも前記符号化部にて使用される制御情報を含むログ情報を不揮発性メモリに記録する記録手段と、
前記多重部による前記ストリームの出力状態を監視する監視手段と、
この監視手段による監視結果に基づいて、前記記録手段に対する前記ログ情報の前記不揮発性メモリへの書き込みの実行・停止を制御する制御手段とを具備したことを特徴とするエンコーダ装置。
【請求項２】
前記制御手段は、前記監視手段による監視結果から障害発生を検出した時点で、前記記録手段に対しログ情報の書き込みの停止制御を行うことを特徴とする請求項１記載のエンコーダ装置。
【請求項３】
符号化部にてベースバンド映像／音声信号を外部からの制御情報に従って符号化し、多重部にて前記符号化部からの符号化データを受信し規格化されたストリームを生成して出力するエンコーダ装置で使用され、
少なくとも前記符号化部にて使用される制御情報を含むログ情報を不揮発性メモリに記録し、
前記多重部による前記ストリームの出力状態を監視し、
この監視結果から障害発生を検出した場合に、前記ログ情報の前記不揮発性メモリへの書き込みを停止するようにしたことを特徴とするログ記録制御方法。
【発明の詳細な説明】
【技術分野】
【０００１】
この発明は、放送局内において、例えばＭＰＥＧ２（Moving Picture Experts Group 2）やＨ．２６４の規格に従ったＴＳ(Transport Stream)を生成するエンコーダ装置及びそのログ記録制御方法に関する。
【背景技術】
【０００２】
デジタル放送におけるスタジオ機器にあっては、ＭＰＥＧ２による映像信号の符号化などの信号処理を施すエンコーダ装置が必要不可欠である。
【０００３】
ところで、エンコーダ装置の符号化部は、制御情報、タスク動作記録などのログを常時記録しているが、リングバッファのため、重大な障害発生時のログ記録が上書きされてしまう場合があった。
【０００４】
なお、従来では、必要なエラー情報を消去することなくエラーの詳細情報を残し、かつ多くのエラー情報を記憶する手法が考えられている（例えば、特許文献１）。
【特許文献１】特開平７−２４８９４６号公報
【発明の開示】
【発明が解決しようとする課題】
【０００５】
しかしながら、上記手法は、エラー発生時にバッファの中に同じエラー情報が書き込まれているか否かを判断して、同じエラー情報が書き込まれている場合に新たなエラー情報の書き込みを停止するものであり、障害発生時のログ記録が上書きされてしまうことを防ぐものではない。
【０００６】
そこで、この発明の目的は、障害発生時のログ情報が記録された状態を保持し得るエンコーダ装置及びログ記録制御方法を提供することにある。
【課題を解決するための手段】
【０００７】
上記目的を達成するために、この発明に係るエンコーダ装置は、符号化部にてベースバンド映像／音声信号を外部からの制御情報に従って符号化し、多重部にて符号化部からの符号化データを受信し規格化されたストリームを生成して出力するエンコーダ装置を対象にしている。
【０００８】
そして、少なくとも符号化部にて使用される制御情報を含むログ情報を不揮発性メモリに記録する記録手段と、多重部によるストリームの出力状態を監視する監視手段と、この監視手段による監視結果に基づいて、記録手段に対するログ情報の不揮発性メモリへの書き込みの実行・停止を制御する制御手段とを備えるようにしたものである。
【０００９】
なお、制御手段は、監視手段による監視結果から障害発生を検出した時点で、記録手段に対しログ情報の書き込みの停止制御を行うことを特徴とする。
【００１０】
この構成によれば、多重部におけるストリームの出力状態を監視することで、障害発生を検出でき、この障害発生検出時点で、不揮発性メモリへのログ情報の書き込みを停止するようにしている。
【００１１】
従って、障害発生時に、障害解析に最も必要な障害発生時のログ情報が不揮発性メモリに記録された状態を保持することができる。
【発明の効果】
【００１２】
以上詳述したようにこの発明によれば、障害発生時のログ情報が記録された状態を保持し得るエンコーダ装置及びログ記録制御方法を提供することができる。
【発明を実施するための最良の形態】
【００１３】
以下、この発明の実施形態について図面を参照して詳細に説明する。  
図１は、この発明の一実施形態に係わるエンコーダ装置の構成を示すブロック図である。
【００１４】
図１において、符号１０はエンコーダ装置で、映像／音声入力部１１と、符号化部１２と、制御・多重部１３とを備えている。
【００１５】
映像／音声入力部１１は、入力された映像／音声信号に対し前処理を施して符号化部１２へ出力する。符号化部１２は、映像／音声信号をＭＰＥＧ２、Ｈ．２６４などの規格に従い符号化し、この符号化された映像・音声パケットを制御・多重部１３へ出力する。また、符号化部１２は、制御・多重部１３から送られる制御情報に従って、符号化処理を実行する。
【００１６】
制御・多重部１３は、符号化部１２から出力された映像・音声パケットを、ＭＰＥＧの規格に従い多重化してストリームを生成し、このストリームを外部へ出力する。また、制御・多重部１３は、上位システム（図示せず）から符号化開始・終了やパラメータなどの外部制御を受け、符号化部１２を制御する。
【００１７】
ところで、この実施形態では、符号化部１２に不揮発性メモリ１２１が設けられ、制御・多重部１３に監視部１３１と、記録制御部１３２とが設けられている。
【００１８】
すなわち、符号化部１２は、制御・多重部１３との間の通信により得られる制御情報、タスクの処理動作情報をログ情報として不揮発性メモリ１２１に書き込む。
【００１９】
監視部１３１は、制御・多重部１３によるストリームの出力状態、つまり符号化部１２による映像パケット、音声パケットの出力が停止しているか否かを監視する。
【００２０】
記録制御部１３２は、上記監視部１３１による監視結果から障害発生を検出した時点で、符号化部１２に対し不揮発性メモリ１２１へのログ情報の書き込みの停止制御を行う。
【００２１】
次に、上記構成における動作について説明する。  
図２は、障害発生時においてログ情報の書き込みを停止する際の符号化部１２と多重・制御部１３との間の情報の送受信動作を示すシーケンス図である。
【００２２】
符号化部１２は、制御情報、タスク動作記録などのログ情報を不揮発性メモリ１２１に常時記録している（ステップＳＴ２ａ）。ログ情報は不揮発性メモリ１２１をリングバッファとして使用しており、複数件の記録ができる。
【００２３】
制御・多重部１３は、符号化部１２の出力する映像・音声パケットを監視している（ステップＳＴ３ａ）。そして、障害があった場合に、符号化部１２へ「ログ書き込み停止制御」を通信により送信する（ステップＳＴ３ａ）。
【００２４】
以後、符号化部１２は、「ログ書き込み停止制御」を受信した場合に、不揮発性メモリ１２１に対するログ記録を停止する（ステップＳＴ２ｂ）。これにより、障害発生直後までのログ情報のみが不揮発性メモリ１２１に記録され、上書きされなくなる。
【００２５】
以上のように上記実施形態では、制御・多重部１３において、符号化部１２の映像パケット・音声パケットの出力状態を監視することで、障害発生を検出し、この障害発生検出時点で、不揮発性メモリ１２１へのログ情報の書き込みを停止するように符号化部１２を制御するようにしている。
【００２６】
従って、障害発生時に、障害解析に最も必要な障害発生時のログ情報が不揮発性メモリ１２１に記録された状態を保持することができる。
【００２７】
なお、本発明を実施形態に基づき説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２８】
【図１】この発明の一実施形態に係わるエンコーダ装置の構成を示すブロック図。
【図２】同実施形態において、ログ情報の書き込みを停止する際の符号化部と多重・制御部との間の情報の送受信動作を示すシーケンス図。
【符号の説明】
【００２９】
１０…エンコーダ装置、１１…映像／音声入力部、１２…符号化部、１３…制御・多重部、１２１…不揮発性メモリ、１３１…監視部、１３２…記録制御部。
【図１】
2008236048.tif 000003
【図２】
2008236048.tif 000004